(57)【要約】【課題】あらかじめ定められた適切な電気機器のみに電力を供給する。【解決手段】記憶部１０１は、電気機器４を示す機器情報と電気機器４の消費電力特性を示す特性情報と電気機器４に電力を供給することの許否を示す許否情報とを対応付けて記憶する。リレー１０４は、制御信号に従って、電気機器４に電力を供給する。測定部１０５は、電気機器４の消費電力の波形パターンを測定する。取得部１０６は、測定された波形パターンを解析して、電気機器４の消費電力特性を取得する。特定部１０７は、消費電力特性が、取得された消費電力特性と一致する電気機器４を示す機器情報を特定する。制御部１０８は、特定された機器情報により示される電気機器４への電力の供給が許可されていない場合、電力の供給を遮断することを指示する制御信号をリレー１０４に供給する。【選択図】図１
2011176985.tif 000002
【特許請求の範囲】
【請求項１】
商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶する記憶手段と、
コンセントを通じて前記商用電源から前記電力の供給を受けるプラグオスと、
接続された電気機器に対して前記電力を供給するプラグメスと、
制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断するリレーと、
前記接続された電気機器に前記電力が供給されているときに、当該接続された電気機器の消費電力の波形パターンを測定する測定手段と、
前記測定された波形パターンを解析して、前記接続された電気機器の消費電力特性を取得する取得手段と、
前記記憶されている機器情報のうち、前記取得された消費電力特性と一致する消費電力特性を示す特性情報に対応付けられている機器情報を特定する特定手段と、
前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御手段と、を備える、
ことを特徴とする電力供給システム。
【請求項２】
前記消費電力特性は、前記接続された電気機器の消費電力の、最大値、最小値、平均値、および、力率、のうちのいずれかである、
ことを特徴とする請求項１に記載の電力供給システム。
【請求項３】
前記電力供給システムは、
前記記憶手段と前記取得手段と前記制御手段とを備えるサーバと、前記プラグオスと前記プラグメスと前記リレーと前記測定手段とを備えるタップと、に分割されており、
前記サーバは、前記タップと相互に通信するサーバ内通信手段を備え、
前記タップは、前記サーバと相互に通信するタップ内通信手段を備える、
ことを特徴とする請求項１または２に記載の電力供給システム。
【請求項４】
周囲の環境を示す環境情報を検出する検出手段をさらに備え、
前記記憶手段は、前記複数の電気機器のそれぞれについて、前記機器情報と前記特性情報と前記許否情報と当該電気機器の稼働時の当該電気機器の周囲の環境として想定される環境を示す環境情報とを対応付けて記憶し、
前記特定手段は、前記記憶されている機器情報のうち、前記取得された消費電力特性と一致する消費電力特性を示す特性情報に対応付けられている機器情報であって、前記検出された環境情報と一致する環境情報と対応付けられている機器情報を特定する、
ことを特徴とする請求項１乃至３のいずれか１項に記載の電力供給システム。
【請求項５】
記憶手段と、プラグオスと、プラグメスと、リレーと、測定手段と、取得手段と、特定手段と、制御手段と、を備える電力供給システムにより実行される電力供給方法であって、
前記記憶手段は、商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶し、
前記プラグオスは、コンセントを通じて前記商用電源から前記電力の供給を受け、
前記プラグメスは、接続された電気機器に対して前記電力を供給し、
前記リレーは、制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断し、
前記測定手段は、前記接続された電気機器に前記電力が供給されているときに、当該接続された電気機器の消費電力の波形パターンを測定し、
前記取得手段が、前記測定された波形パターンを解析して、前記接続された電気機器の消費電力特性を取得する取得ステップと、
前記特定手段が、前記記憶されている機器情報のうち、前記取得された消費電力特性と一致する消費電力特性を示す特性情報に対応付けられている機器情報を特定する特定ステップと、
前記制御手段が、前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御ステップと、を備える、
ことを特徴とする電力供給方法。
【請求項６】
記憶手段と、プラグオスと、プラグメスと、リレーと、測定手段と、を備えるコンピュータを電力供給システムとして機能させるためのプログラムであって、
前記記憶手段は、商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶し、
前記プラグオスは、コンセントを通じて前記商用電源から前記電力の供給を受け、
前記プラグメスは、接続された電気機器に対して前記電力を供給し、
前記リレーは、制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断し、
前記測定手段は、前記接続された電気機器に前記電力が供給されているときに、当該接続された電気機器の消費電力の波形パターンを測定し、
前記プログラムは、前記コンピュータを、
前記測定された波形パターンを解析して、前記接続された電気機器の消費電力特性を取得する取得手段、
前記記憶されている機器情報のうち、前記取得された消費電力特性と一致する消費電力特性を示す特性情報に対応付けられている機器情報を特定する特定手段、
前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御手段、として機能させる、
ことを特徴とするプログラム。
【発明の詳細な説明】
【技術分野】
【０００１】
本発明は、あらかじめ定められた適切な電気機器のみに電力を供給するのに好適な電力供給システム、電力供給方法、ならびに、これらをコンピュータ上で実現するためのプログラムに関する。
【背景技術】
【０００２】
家庭やオフィス内に設置される電力供給システムが多数考案されている。このような電力供給システムには、使用が禁止されている電気機器（以下、適宜「不正な電気機器」という。）を利用することによる盗電を防止することを目的としたものがある。
【０００３】
例えば、特許文献１〜３には、電気機器が有するＩＤ（識別子）が、あらかじめ使用が許可された電気機器に対応付けられたＩＤであるか否かを判別することにより、あらかじめ使用が許可された電気機器にしか電力を供給しない技術が開示されている。また、特許文献４には、分電盤など、複数の電気機器に流れる電流が全て集約された箇所における電流パターンから、不正な電気機器などを特定して管理する技術が開示されている。
【先行技術文献】
【特許文献】
【０００４】
【特許文献１】特開２００８−３０６８４０号公報
【特許文献２】特開２００６−１９７８８号公報
【特許文献３】特開２００６−２４４８１８号公報
【特許文献４】特開２００３−９４３０号公報
【発明の概要】
【発明が解決しようとする課題】
【０００５】
しかしながら、特許文献１〜３に開示された技術は、情報家電など、電気機器自体がＩＤを持つことが可能な電気機器を対象とした技術であった。このため、ＩＤを持つことができない既存の電気機器に関しては、特許文献１〜３に開示された技術を適用することができなかった。
【０００６】
一方、特許文献４に開示された技術においては、分電盤の電力集約部分など一箇所で電流を計測するため、不正な電気機器を特定する精度が悪い場合があった。また、分電盤は複数のプラグソケット（以下「プラグ」という。）の電力を１つのコードで集約していることが一般的であるため、プラグ毎にオン・オフを制御することが難しい場合があった。従って、情報家電に限定されない複数の電気機器のそれぞれについて、不正な電気機器であるか否かを判別して、不正な電気機器に対する電力の供給を制限することが可能な電力供給システムが望まれている。
【０００７】
本発明は、上記問題に鑑みてなされたものであり、あらかじめ定められた適切な電気機器のみに電力を供給するのに好適な電力供給システム、電力供給方法、ならびに、これらをコンピュータ上で実現するためのプログラムを提供することを目的とする。
【課題を解決するための手段】
【０００８】
上記目的を達成するために、本発明の第１の観点に係る電力供給システムは、
商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶する記憶手段と、
コンセントを通じて前記商用電源から前記電力の供給を受けるプラグオスと、
接続された電気機器に対して前記電力を供給するプラグメスと、
制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断するリレーと、
前記接続された電気機器に前記電力が供給されているときに、当該接続された電気機器の消費電力の波形パターンを測定する測定手段と、
前記測定された波形パターンを解析して、前記接続された電気機器の消費電力特性を取得する取得手段と、
前記記憶されている機器情報のうち、前記取得された消費電力特性と一致する消費電力特性を示す特性情報に対応付けられている機器情報を特定する特定手段と、
前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御手段と、を備える、
ことを特徴とする。
【０００９】
上記目的を達成するために、本発明の第２の観点に係る電力供給方法は、
記憶手段と、プラグオスと、プラグメスと、リレーと、測定手段と、取得手段と、特定手段と、制御手段と、を備える電力供給システムにより実行される電力供給方法であって、
前記記憶手段は、商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶し、
前記プラグオスは、コンセントを通じて前記商用電源から前記電力の供給を受け、
前記プラグメスは、接続された電気機器に対して前記電力を供給し、
前記リレーは、制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断し、
前記測定手段は、前記接続された電気機器に前記電力が供給されているときに、当該接続された電気機器の消費電力の波形パターンを測定し、
前記取得手段が、前記測定された波形パターンを解析して、前記接続された電気機器の消費電力特性を取得する取得ステップと、
前記特定手段が、前記記憶されている機器情報のうち、前記取得された消費電力特性と一致する消費電力特性を示す特性情報に対応付けられている機器情報を特定する特定ステップと、
前記制御手段が、前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御ステップと、を備える、
ことを特徴とする。
【００１０】
上記目的を達成するために、本発明の第３の観点に係るプログラムは、
記憶手段と、プラグオスと、プラグメスと、リレーと、測定手段と、を備えるコンピュータを電力供給システムとして機能させるためのプログラムであって、
前記記憶手段は、商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶し、
前記プラグオスは、コンセントを通じて前記商用電源から前記電力の供給を受け、
前記プラグメスは、接続された電気機器に対して前記電力を供給し、
前記リレーは、制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断し、
前記測定手段は、前記接続された電気機器に前記電力が供給されているときに、当該接続された電気機器の消費電力の波形パターンを測定し、
前記プログラムは、前記コンピュータを、
前記測定された波形パターンを解析して、前記接続された電気機器の消費電力特性を取得する取得手段、
前記記憶されている機器情報のうち、前記取得された消費電力特性と一致する消費電力特性を示す特性情報に対応付けられている機器情報を特定する特定手段、
前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御手段、として機能させる、
ことを特徴とする。
【発明の効果】
【００１１】
本発明によれば、あらかじめ定められた適切な電気機器のみに電力を供給するのに好適な電力供給システム、電力供給方法、ならびに、これらをコンピュータ上で実現するためのプログラムを提供することができる。
【図面の簡単な説明】
【００１２】
【図１】本発明の第１の実施形態に係る電力供給システムの構成を示すブロック図である。
【図２】本発明の第１の実施形態に係る電力供給システムの主要部を構成する電力供給制御装置の構成を示すブロック図である。
【図３】（Ａ）は、記憶部に記憶されている特性情報を模式的に示す図である。（Ｂ）は、記憶部に記憶されている許否情報を模式的に示す図である。（Ｃ）は、測定部により測定された波形パターンを模式的に示す図である。（Ｄ）は、取得部により取得された特性情報を模式的に示す図である。
【図４】本発明の第１の実施形態に係る電力供給システムが実行する電力供給制御処理を示すフローチャートである。
【図５】本発明の第２の実施形態に係る電力供給システムの構成を示すブロック図である。
【図６】本発明の第２の実施形態に係る電力供給システムが実行する電力供給制御処理を示すフローチャートである。
【図７】本発明の第３の実施形態に係る電力供給システムの構成を示すブロック図である。
【図８】（Ａ）は、記憶部に記憶されている特性情報を模式的に示す図である。（Ｂ）は、記憶部に記憶されている環境情報を模式的に示す図である。（Ｃ）は、取得部により取得された特性情報を模式的に示す図である。（Ｄ）は、検出部により検出された環境情報を模式的に示す図である。
【図９】本発明の第３の実施形態に係る電力供給システムが実行する電力供給制御処理を示すフローチャートである。
【図１０】記憶部に記憶されている特性情報を模式的に示す図である。
【発明を実施するための形態】
【００１３】
以下、図面を参照して、本発明の実施形態に係る電力供給システムについて説明する。
【００１４】
（第１の実施形態）
まず、図１を参照して、本発明の第１の実施形態に係る電力供給システム１００の構成について説明する。
【００１５】
図１に示すように、電力供給システム１００は、記憶部１０１と、プラグオス１０２と、プラグメス１０３と、リレー１０４と、測定部１０５と、取得部１０６と、特定部１０７と、制御部１０８と、を備える。なお、電力供給システム１００は、商用電源２からコンセント３を介して供給される電力を、電気機器４に供給するシステムである。ここで、電力供給システム１００は、電気機器４が、あらかじめ電力を供給することが許可されていない電気機器であると判別した場合、電気機器４への電力の供給を遮断する。
【００１６】
記憶部１０１は、商用電源２から供給される電力で動作する複数の電気機器４のそれぞれについて、当該電気機器４を示す機器情報と当該電気機器４の消費電力特性を示す特性情報と当該電気機器４に電力を供給することの許否を示す許否情報とを対応付けて記憶する。機器情報、特性情報、および、許否情報については、後述する。
【００１７】
プラグオス１０２は、商用電源２からコンセント３を介して電力の供給を受ける。プラグオス１０２として、例えば、市販のコンセント３に差し込まれるオス型のプラグを採用することができる。
【００１８】
プラグメス１０３は、接続された電気機器４に対して電力を供給する。プラグメス１０３として、例えば、市販のオス型のプラグが差し込まれるメス型のプラグを採用することができる。なお、プラグオス１０２とプラグメス１０３とは、リレー４および測定部１０５を介して、電力供給システム１００の内部で銅線などにより接続される。
【００１９】
リレー１０４は、制御信号に従って、プラグオス１０２とプラグメス１０３との接続状態を切り替える。つまり、制御信号により、電気機器４へ電力を供給することが指示された場合、リレー１０４は、クローズ状態となり、プラグオス１０２とプラグメス１０３とを接続する。これにより、プラグオス１０２に供給された電力が、プラグメス１０３に接続された電気機器４に供給される。一方、制御信号により、電気機器４へ電力を供給しないことが指示された場合、リレー１０４は、オープン状態となり、プラグオス１０２とプラグメス１０３とを非接続とする。これにより、プラグオス１０２に供給された電力の、プラグメス１０３に接続された電気機器４への供給が遮断される。
【００２０】
測定部１０５は、電気機器４に電力が供給されているときに、電気機器４の消費電力の波形パターンを測定する。測定部１０５は、例えば、電気機器４に印加されている電圧値と、電気機器４に供給されている電流値と、を所定の周期でサンプリングして、消費電力の波形パターンを測定する。測定部１０５として、例えば、公知の単相電力計を利用することができる。
【００２１】
取得部１０６は、測定部１０５により測定された波形パターンを解析して、電気機器４の消費電力特性を取得する。ここで、消費電力特性は、例えば、消費電力の、最大値、最小値、もしくは、平均値、または、力率などの電気的な特性である。
【００２２】
特定部１０７は、記憶部１０１に記憶されている機器情報のうち、取得部１０６により取得された消費電力特性と一致する消費電力特性を示す特性情報に対応付けられている機器情報を特定する。なお、取得された消費電力特性と記憶されている消費電力特性とが一致するとは、取得された消費電力特性が記憶されている消費電力特性に類似する場合（例えば、取得された消費電力特性により表される値と記憶されている特性情報により表される値との割合が所定の閾値の範囲である場合。）を含む。
【００２３】
制御部１０８は、特定部１０７により特定された機器情報に対応付けられて記憶部１０１に記憶されている許否情報により電力の供給を許可しないことが示されている場合、電気機器４に対する電力の供給を遮断することを指示する制御信号をリレー１０４に供給する。また、制御部１０８は、当該許否情報により電力の供給を許可しないことが示されている場合、「使用が許可されていない電気機器が使用されている」旨のメッセージを示すメッセージ情報を出力部５に供給する。また、制御部１０８は、取得された消費電力特性と一致する消費電力特性を示す特性情報が記憶部１０１に記憶されていない場合（例えば、特定部１０７から機器情報が供給されない場合。）、「不明な電気機器が使用されている」旨のメッセージを示すメッセージ情報を出力部５に供給する。一方、制御部１０８は、特定部１０７により特定された機器情報に対応付けられて記憶部１０１に記憶されている許否情報により電力の供給を許可することが示されている場合、電気機器４に対する電力を供給することを指示する制御信号をリレー１０４に供給する。なお、出力部５は、制御部１０８から供給されたメッセージ情報を、ユーザに提示する。出力部５は、例えば、液晶ディスプレイなどにより構成される。
【００２４】
次に、図２を参照して、電力供給システム１００の主要部の物理的な構成について説明する。ここで、電力供給システム１００の主要部は、例えば、記憶部１０１、取得部１０６、特定部１０７、および、制御部１０８から構成される。以下、適宜、電力供給システム１００の主要部を、電力供給制御装置２００という。なお、電力供給制御装置２００は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などにより構成されてもよいが、本実施形態においては、図２に示すように、汎用のコンピュータにより構成されるものとして説明する。
【００２５】
図２に示すように、電力供給制御装置２００は、物理的には、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、ハードディスク装置１４と、入力装置１５と、表示制御装置１６と、通信装置１７と、を備える。電力供給制御装置２００が備える各構成要素はバスを介して接続される。
【００２６】
ＣＰＵ１１は、ハードディスク装置１４に記憶されたプログラムに従って電力供給制御装置２００全体の動作を制御する。ＣＰＵ１１は、各構成要素とバスを介して接続され、制御信号やデータのやりとりをする。
【００２７】
ＲＯＭ１２は、電源投入直後に実行されるＩＰＬ（Ｉｎｉｔｉａｌ  Ｐｒｏｇｒａｍ  Ｌｏａｄｅｒ）を記憶する。ＩＰＬが実行された後、ＣＰＵ１１は、ハードディスク装置１４に記憶されたプログラムをＲＡＭ１３に読み出して実行する。
【００２８】
ＲＡＭ１３は、データやプログラムを一時的に記憶する。ＲＡＭ１３は、ハードディスク装置１４から読み出されたプログラムや、電力供給制御処理に必要なデータ等を一時記憶する。
【００２９】
ハードディスク装置１４は、ＣＰＵ１１により実行されるプログラムを記憶する。また、ハードディスク装置１４は、電力供給制御処理に必要なデータなども記憶する。
【００３０】
入力装置１５は、ＣＰＵ１１による制御のもと、ユーザからの指示入力などを受け付ける。入力装置１５は、例えば、キーボードやマウスから構成される。
【００３１】
表示制御装置１６は、ＣＰＵ１１による制御のもと、出力部５に表示させる画面情報などを生成し、生成した画面情報などを出力部５に供給する。
【００３２】
通信装置１７は、ＣＰＵ１１による制御のもと、無線通信もしくは有線通信により、外部の装置と通信する。通信装置１７は、例えば、ネットワークカード、ＵＳＢ（Ｕｎｉｖｅｒｓａｌ  Ｓｅｒｉａｌ  Ｂｕｓ）ポートなどにより構成される。
【００３３】
なお、記憶部１０１は、例えば、ハードディスク装置１４により構成される。また、取得部１０６および特定部１０７は、例えば、ＣＰＵ１１、ＲＯＭ１２およびＲＡＭ１３により構成される。そして、制御部１０８は、例えば、ＣＰＵ１１、ＲＯＭ１２、ＲＡＭ１３および表示制御装置１６により構成される。
【００３４】
ここで、図３を参照して、記憶部１０１に記憶されている情報などについて説明する。
【００３５】
図３（Ａ）に、記憶部１０１に記憶されている特性情報を模式的に示す。特性情報は、機器情報とＩＤとに対応付けられて、記憶部１０１に記憶される。
【００３６】
機器情報は、商用電源２から供給される電力で動作する電気機器４を示す情報であり、例えば、電気機器４の名称を表す文字列である。図３（Ａ）に示す例では、機器情報は、「Ａ社ＰＣ」、「Ｂ社ＰＣ」、「Ｃ社扇風機」および「Ｄ社ヒーター」である。
【００３７】
ＩＤは、当該ＩＤに対応付けられる機器情報に割り当てられる識別子を示す情報であり、例えば、当該機器情報が、記憶部１０１に記憶された順序を示す数値である。図３（Ａ）に示す例では、ＩＤは、「１」、「１０」、「４５」および「８５」である。
【００３８】
特性情報は、当該特性情報に対応付けられる機器情報により示される電気機器４の消費電力特性を示す情報であり、例えば、電気機器４の消費電力特性を示す数値である。図３（Ａ）に示す例では、特性情報は、「最大値１０Ｗ、最小値５Ｗ」、「最大値１５Ｗ、最小値１０Ｗ」、「最大値５００Ｗ、最小値３００Ｗ」、および「最大値１０００Ｗ、最小値８００Ｗ」である。特性情報は、電気機器４の消費電力の特性を示すものであれば、何でも良い。例えば、特性情報は、電気機器４が稼働されているときの、当該電気機器４の消費電力の、最大値、最小値、もしくは、平均値、または、力率などを示す情報である。
【００３９】
図３（Ｂ）に、記憶部１０１に記憶されている許否情報を模式的に示す。許否情報は、機器情報とＩＤとに対応付けられて、記憶部１０１に記憶される。
【００４０】
許否情報は、当該許否情報に対応付けられる機器情報により示される電気機器４への電力の供給を許可するか否かを示す情報であり、例えば、許可もしくは不許可を示す文字列や数値である。図３（Ｂ）に示す例では、許否情報は、「許可」もしくは「不許可」という文字列である。
【００４１】
なお、特性情報と許否情報とは、ともに、機器情報とＩＤとに対応付けられて記憶部１０１に記憶されている。従って、特性情報と許否情報とが対応付けられて記憶部１０１に記憶されていると考えることもできる。また、機器情報とＩＤとは、電気機器４を特定する情報と考えることができるが、必ずしも記憶部１０１に記憶されている必要はない。この場合、例えば、特性情報そのものが、電気機器４を特定する情報と考えることができる。
【００４２】
図３（Ｃ）に、測定部１０５により測定された波形パターンを模式的に示す。この波形パターンは、電気機器４を使用している際の、電気機器４の消費電力を表す波形パターンである。本実施形態においては、波形パターンは電力の波形パターンを示しているが、電圧の波形パターンと電流の波形パターンとの双方が測定部１０５により測定されてもよい。
【００４３】
図３（Ｄ）に、取得部１０６により取得された特性情報を模式的に示す。特性情報は、図３（Ｃ）に示す波形パターンから取得される情報であり、電気機器４の電気的な特性を示す情報である。また、取得された特性情報は、特定部１０７により、記憶されている特性情報と一致するか否かが比較される。例えば、消費電力の最大値の比と、消費電力の最小値の比と、がともに、所定の閾値の範囲（例えば、±１０％以内。）である場合、特性情報が一致すると判別される。なお、図３（Ｄ）に示す特性情報は、図３（Ａ）に示す特性情報のいずれとも一致していない例である。
【００４４】
次に、図４に示すフローチャートを用いて、電力供給システム１００が実行する電力供給制御処理について説明する。電力供給システム１００は、電源が投入されると、図４に示す電力供給制御処理を実行する。なお、図３（Ａ）に示す特性情報や、図３（Ｂ）に示す許否情報は、電力供給制御処理が実行される前に、ユーザなどによりハードディスク装置１４に記憶されているものとする。
【００４５】
まず、ＣＰＵ１１は、リレー１０４をオンする（ステップＳ１０１）。具体的には、ＣＰＵ１１は、リレー１０４に、リレー１０４を導通状態にすることを指示する制御信号（以下「リレーオン指示信号」という。）を供給する。これにより、リレー１０４が導通状態となり、電気機器４に電力が供給される。
【００４６】
ステップＳ１０１の処理が完了すると、ＣＰＵ１１は、波形パターンを測定する（ステップＳ１０２）。具体的には、ＣＰＵ１１は、電気機器４に印加される電圧の値と、電気機器４に流れる電流の値と、を所定の周期でサンプリングして、電気機器４に供給されている電力の波形パターンを取得する。波形パターンを示す情報は、ＲＡＭ１３などに記憶される。
【００４７】
ステップＳ１０２の処理が完了すると、ＣＰＵ１１は、ステップＳ１０２において取得された波形パターンを解析して、消費電力特性を取得する（ステップＳ１０３）。消費電力特性を示す特性情報は、ＲＡＭ１３などに記憶される。
【００４８】
ステップＳ１０３の処理が完了すると、ＣＰＵ１１は、消費電力特性が一致する電気機器を検索する（ステップＳ１０４）。具体的には、まず、ＣＰＵ１１は、ハードディスク装置１４に記憶されている特性情報のうち、ステップＳ１０３において取得された消費電力特性と一致する消費電力特性を示す特性情報を検索する。そして、ＣＰＵ１１は、検索された特性情報に対応付けてハードディスク装置１４に記憶されている機器情報により示される電気機器４を特定する。
【００４９】
ステップＳ１０４の処理が完了すると、ＣＰＵ１１は、ステップＳ１０４において、電気機器４が特定されたか否かを判別する（ステップＳ１０５）。ＣＰＵ１１は、電気機器４が特定されていないと判別すると（ステップＳ１０５：ＮＯ）、不明な電気機器４で盗電されていることを出力する（ステップＳ１０６）。具体的には、ＣＰＵ１１は、「不明な電気機器４で盗電されている」旨を示すメッセージ画面を出力部５に出力する。これにより、出力部５は、「不明な電気機器４で盗電されている」旨を、ユーザに提示する。
【００５０】
一方、ＣＰＵ１１は、電気機器４が特定されたと判別すると（ステップＳ１０５：ＹＥＳ）、特定された電気機器４が許可された電気機器４か否かを判別する（ステップＳ１０７）。ＣＰＵ１１は、特定された電気機器４が許可された電気機器４であると判別すると（ステップＳ１０７：ＹＥＳ）、波形パターンを取得する処理（ステップＳ１０２）に処理を戻す。
【００５１】
一方、ＣＰＵ１１は、電気機器４が許可された電気機器４ではないと判別すると（ステップＳ１０７：ＮＯ）、許可されていない電気機器４で盗電されていることを出力する（ステップＳ１０８）。具体的には、ＣＰＵ１１は、「許可されていない電気機器４で盗電されている」旨を示すメッセージ画面を出力部５に出力する。これにより、出力部５は、「許可されていない電気機器４で盗電されている」旨を、ユーザに提示する。
【００５２】
ＣＰＵ１１は、ステップＳ１０６の処理、もしくは、ステップＳ１０８の処理を完了すると、リレー１０４をオフする（ステップＳ１０９）。具体的には、ＣＰＵ１１は、リレー１０４に、リレー１０４を非導通状態にすることを指示する制御信号（以下「リレーオフ指示信号」という。）を供給する。これにより、リレー１０４が非導通状態となり、電気機器４への電力の供給が遮断される。
【００５３】
ＣＰＵ１１は、ステップＳ１０９の処理を終了すると、電力供給制御処理を終了する。なお、ユーザにより、電力供給システム１００が再起動されると、ＣＰＵ１１は、図４に示す電力供給制御処理を再度実行する。
【００５４】
本実施形態に係る電力供給システム１００によれば、許可されていない電気機器４、もしくは、登録されていない電気機器４が接続されていると判別されると、電気機器４への電力の供給が自動で遮断される。これにより、許可されていない電気機器４、もしくは、登録されていない電気機器４による盗電を防止することができる。
【００５５】
（第２の実施形態）
次に、本発明の第２の実施形態に係る電力供給システム１２０について説明する。なお、第１の実施形態に係る電力供給システム１００と同様の構成、動作については、適宜説明を省略または簡略化する。
まず、図５を参照して、本発明の第２の実施形態に係る電力供給システム１２０の構成について説明する。
【００５６】
図５に示すように、電力供給システム１２０は、サーバ１２１と、タップ１２２と、を備える。サーバ１２１は、記憶部１０１と、取得部１０６と、特定部１０７と、制御部１０８と、サーバ内通信部１０９と、を備える。タップ１２２は、プラグオス１０２と、プラグメス１０３と、リレー１０４と、測定部１０５と、タップ内通信部１０９と、を備える。なお、電力供給システム１２０は、商用電源２からコンセント３を介して供給される電力を、電気機器４に供給するシステムである。ここで、電力供給システム１２０は、電気機器４が、あらかじめ電力を供給することが許可されていない電気機器であると判別した場合、電気機器４への電力の供給を遮断する。
【００５７】
電力供給システム１２０は、サーバ１２１とタップ１２２とに分割されていること、および、サーバ１２１がサーバ内通信部１０９を備え、タップ１２２がタップ内通信部１１０を備えること以外は、電力供給システム１００と同様の構成である。従って、以下、電力供給システム１２０が電力供給システム１００と異なる部分についてのみ説明する。なお、サーバ１２１は、物理的には、例えば、図２に示す電力供給制御装置２００と同等の構成とすることができる。また、タップ１２２は、例えば、図２に示す、ＣＰＵ１１、ＲＯＭ１２、ＲＡＭ１３、通信装置１７を備えることができる。以下、本実施形態において、サーバ１２１が備える、ＣＰＵ１１、ＲＯＭ１２、ＲＡＭ１３、通信装置１７、を単に「ＣＰＵ１１」、「ＲＯＭ１２」、「ＲＡＭ１３」、「通信装置１７」といい、タップ１２２が備える、ＣＰＵ１１、ＲＯＭ１２、ＲＡＭ１３、通信装置１７、を「タップ１２２内のＣＰＵ１１」、「タップ１２２内のＲＯＭ１２」、「タップ１２２内のＲＡＭ１３」、「タップ１２２内の通信装置１７」という。
【００５８】
サーバ内通信部１０９は、タップ内通信部１１０とデータの送受信を行う。具体的には、サーバ内通信部１０９は、タップ内通信部１１０から供給された波形パターンを、取得部１０６に供給する。また、サーバ内通信部１０９は、制御部１０８から供給された制御信号を、タップ内通信部１１０に供給する。
【００５９】
タップ内通信部１１０は、サーバ内通信部１０９とデータの送受信を行う。具体的には、タップ内通信部１１０は、測定部１０５から供給された波形パターンを、サーバ内通信部１０９に供給する。また、タップ内通信部１１０は、サーバ内通信部１０９から供給された制御信号を、リレー１０４に供給する。
【００６０】
サーバ内通信部１０９とタップ内通信部１１０とは、例えば、図２に示す通信装置１７により構成され、無線通信もしくは有線通信により、データを相互に送受信する。なお、サーバ内通信部１０９とタップ内通信部１１０とは、データの送受信にあたって、適宜、通常のフォーマットのデータを通信に適するフォーマットのデータに変換したり、通信に適するフォーマットのデータから通常のフォーマットのデータに逆変換したりする。
【００６１】
次に、図６に示すフローチャートを用いて、電力供給システム１２０が実行する電力供給制御処理について説明する。電力供給システム１２０は、電源が投入されると、図６に示す電力供給制御処理を実行する。なお、図３（Ａ）に示す特性情報や、図３（Ｂ）に示す許否情報は、電力供給制御処理が実行される前に、ユーザなどによりハードディスク装置１４に記憶されているものとする。
【００６２】
まず、ＣＰＵ１１は、通信装置１７を介して、タップ１２２内の通信装置１７に、リレーオン指示信号を送信する（ステップＳ２０１）。
【００６３】
一方、タップ１２２内の通信装置１７は、通信装置１７から、リレーオン指示信号を受信する（ステップＳ２０２）。
【００６４】
次に、タップ１２２内のＣＰＵ１１は、リレー１０４をオンする（ステップＳ２０３）。具体的には、タップ１２２内のＣＰＵ１１は、リレー１０４に、リレーオン指示信号を供給する。これにより、リレー１０４が導通状態となり、電気機器４に電力が供給される。
【００６５】
ステップＳ２０３の処理が完了すると、タップ１２２内のＣＰＵ１１は、波形パターンを測定する（ステップＳ２０４）。具体的には、タップ１２２内のＣＰＵ１１は、電気機器４に印加される電圧の値と、電気機器４に流れる電流の値と、を所定の周期でサンプリングして、電気機器４に供給されている電力の波形パターンを取得する。波形パターンを示す情報は、タップ１２２内のＲＡＭ１３などに記憶される。
【００６６】
ステップＳ２０４の処理が完了すると、タップ１２２内のＣＰＵ１１は、ステップＳ２０４において取得された波形パターンを、タップ１２２内の通信装置１７を介して、通信装置１７に送信する（ステップＳ２０５）。
【００６７】
一方、通信装置１７は、タップ１２２内の通信装置１７から、波形パターンを受信する（ステップＳ２０６）。
【００６８】
ステップＳ２０６の処理が完了すると、ＣＰＵ１１は、ステップＳ２０６において受信された波形パターンを解析して、消費電力特性を取得する（ステップＳ２０７）。消費電力特性を示す特性情報は、ＲＡＭ１３などに記憶される。
【００６９】
ステップＳ２０７の処理が完了すると、ＣＰＵ１１は、消費電力特性が一致する電気機器を検索する（ステップＳ２０８）。具体的には、まず、ＣＰＵ１１は、ハードディスク装置１４に記憶されている特性情報のうち、ステップＳ２０６において受信された消費電力特性と一致する消費電力特性を示す特性情報を検索する。そして、ＣＰＵ１１は、検索された特性情報に対応付けてハードディスク装置１４に記憶されている機器情報により示される電気機器４を特定する。
【００７０】
ステップＳ２０８の処理が完了すると、ＣＰＵ１１は、ステップＳ２０８において、電気機器４が特定されたか否かを判別する（ステップＳ２０９）。ＣＰＵ１１は、電気機器４が特定されていないと判別すると（ステップＳ２０９：ＮＯ）、不明な電気機器４で盗電されていることを出力する（ステップＳ２１０）。具体的には、ＣＰＵ１１は、「不明な電気機器４で盗電されている」旨を示すメッセージ画面を出力部５に出力する。これにより、出力部５は、「不明な電気機器４で盗電されている」旨を、ユーザに提示する。
【００７１】
一方、ＣＰＵ１１は、電気機器４が特定されたと判別すると（ステップＳ２０９：ＹＥＳ）、特定された電気機器４が許可された電気機器４か否かを判別する（ステップＳ２１１）。ＣＰＵ１１は、特定された電気機器４が許可された電気機器４であると判別すると（ステップＳ２１１：ＹＥＳ）、波形パターンを取得する処理（ステップＳ２０４）に処理を戻す。
【００７２】
一方、ＣＰＵ１１は、電気機器４が許可された電気機器４ではないと判別すると（ステップＳ２１１：ＮＯ）、許可されていない電気機器４で盗電されていることを出力する（ステップＳ２１２）。具体的には、ＣＰＵ１１は、「許可されていない電気機器４で盗電されている」旨を示すメッセージ画面を出力部５に出力する。これにより、出力部５は、「許可されていない電気機器４で盗電されている」旨を、ユーザに提示する。
【００７３】
ＣＰＵ１１は、ステップＳ２１０の処理、もしくは、ステップＳ２１２の処理を完了すると、通信装置１７を介して、タップ１２２内の通信装置１７に、リレーオフ指示信号を送信する（ステップＳ２１３）。
【００７４】
一方、タップ１２２内の通信装置１７は、通信装置１７から、リレーオフ指示信号を受信する（ステップＳ２１４）。
【００７５】
次に、タップ１２２内のＣＰＵ１１は、リレー１０４をオフする（ステップＳ２１５）。具体的には、タップ１２２内のＣＰＵ１１は、リレー１０４に、リレーオフ指示信号を供給する。これにより、リレー１０４が非導通状態となり、電気機器４への電力の供給が遮断される。
【００７６】
ＣＰＵ１１は、ステップＳ２１５の処理を終了すると、電力供給制御処理を終了する。なお、ユーザにより、電力供給システム１００が再起動されると、ＣＰＵ１１は、図６に示す電力供給制御処理を再度実行する。
【００７７】
本実施形態に係る電力供給システム１２０によれば、許可されていない電気機器４、もしくは、登録されていない電気機器４が接続されていると判別されると、電気機器４への電力の供給が自動で遮断される。これにより、許可されていない電気機器４、もしくは、登録されていない電気機器４による盗電を防止することができる。なお、タップ１２２は、サーバ１２１と比較すると、小型で安価なものとすることできる。従って、例えば、屋内にタップ１２２を設置し、屋外にサーバ１２１を設置することにより、屋内空間を圧迫しない運用が可能となる。
【００７８】
（第３の実施形態）
次に、本発明の第３の実施形態に係る電力供給システム１３０について説明する。なお、第１、２の実施形態に係る電力供給システム１００、１２０と同様の構成、動作については、適宜説明を省略または簡略化する。
まず、図７を参照して、本発明の第３の実施形態に係る電力供給システム１３０の構成について説明する。
【００７９】
図７に示すように、電力供給システム１３０は、サーバ１３１と、タップ１３２と、を備える。サーバ１３１は、記憶部１０１と、取得部１０６と、特定部１０７と、制御部１０８と、サーバ内通信部１０９と、を備える。タップ１３２は、プラグオス１０２と、プラグメス１０３と、リレー１０４と、測定部１０５と、タップ内通信部１０９と、を備える。なお、電力供給システム１３０は、商用電源２からコンセント３を介して供給される電力を、電気機器４に供給するシステムである。ここで、電力供給システム１３０は、電気機器４が、あらかじめ電力を供給することが許可されていない電気機器であると判別した場合、電気機器４への電力の供給を遮断する。
【００８０】
電力供給システム１３０は、基本的に、電力供給システム１２０と同様の構成である。従って、以下、電力供給システム１３０が電力供給システム１２０と異なる部分についてのみ説明する。なお、サーバ１３１は、物理的には、例えば、図２に示す電力供給制御装置２００と同等の構成とすることができる。また、タップ１３２は、例えば、図２に示す、ＣＰＵ１１、ＲＯＭ１２、ＲＡＭ１３、通信装置１７を備えることができる。以下、本実施形態において、サーバ１３１が備える、ＣＰＵ１１、ＲＯＭ１２、ＲＡＭ１３、通信装置１７を単に「ＣＰＵ１１」、「ＲＯＭ１２」、「ＲＡＭ１３」、「通信装置１７」といい、タップ１３２が備える、ＣＰＵ１１、ＲＯＭ１２、ＲＡＭ１３、通信装置１７、を「タップ１３２内のＣＰＵ１１」、「タップ１３２内のＲＯＭ１２」、「タップ１３２内のＲＡＭ１３」、「タップ１３２内の通信装置１７」という。
【００８１】
記憶部１０１は、商用電源２から供給される電力で動作する複数の電気機器４のそれぞれについて、当該電気機器４を示す機器情報と当該電気機器４の消費電力特性を示す特性情報と当該電気機器４に電力を供給することの許否を示す許否情報と当該電気機器の稼働時の当該電気機器の周囲の環境として想定される環境を示す環境情報とを対応付けて記憶する。環境情報については、後述する。
【００８２】
特定部１０７は、記憶部１０１に記憶されている機器情報のうち、取得部１０６により取得された消費電力特性と一致する消費電力特性を示す特性情報に対応付けられている機器情報であって、検出部１１１により検出された環境情報と一致する環境情報と対応付けられている機器情報を特定する。
【００８３】
サーバ内通信部１０９は、タップ内通信部１１０とデータの送受信を行う。具体的には、サーバ内通信部１０９は、タップ内通信部１１０から供給された波形パターンを取得部１０６に供給し、タップ内通信部１１０から供給された環境情報を特定部１０７に供給する。また、サーバ内通信部１０９は、制御部１０８から供給された制御信号を、タップ内通信部１１０に供給する。
【００８４】
タップ内通信部１１０は、サーバ内通信部１０９とデータの送受信を行う。具体的には、タップ内通信部１１０は、測定部１０５から供給された波形パターンと検出部１１１から供給された環境情報とをサーバ内通信部１０９に供給する。また、タップ内通信部１１０は、サーバ内通信部１０９から供給された制御信号を、リレー１０４に供給する。
【００８５】
サーバ内通信部１０９とタップ内通信部１１０とは、例えば、図２に示す通信装置１７により構成され、無線通信もしくは有線通信により、データを相互に送受信する。なお、サーバ内通信部１０９とタップ内通信部１１０とは、データの送受信にあたって、適宜、通常のフォーマットのデータを通信に適したフォーマットのデータに変換したり、通信に適したフォーマットのデータから通常のフォーマットのデータに逆変換したりする。
【００８６】
検出部１１１は、周囲の環境を示す環境情報を取得する。環境情報は、例えば、電気機器４が稼働しているときの、電気機器４の周囲の、温度、湿度、照度、風力を表す情報である。検出部１１１は、例えば、温度計、湿度計、照度計、風力センサなどを備える。
【００８７】
ここで、図８を参照して、記憶部１０１に記憶されている情報などについて説明する。
【００８８】
図８（Ａ）に、記憶部１０１に記憶されている特性情報を模式的に示す。特性情報は、機器情報とＩＤとに対応付けられて、記憶部１０１に記憶される。図８（Ａ）には、「Ｄ社ヒーター」に対応付けられた特性情報と、「Ｆ社ライト」に対応付けられた特性情報と、が同じ値を示す例を示している。
【００８９】
図８（Ｂ）に、記憶部１０１に記憶されている環境情報を模式的に示す。環境情報は、機器情報とＩＤとに対応付けられて、記憶部１０１に記憶される。
【００９０】
環境情報は、当該環境情報に対応付けられる機器情報により示される電気機器４が稼働しているときの当該電気機器４の周囲の環境として想定される環境を示す情報であり、例えば、電気機器４の周囲の、温度、湿度、照度、風力を示す文字列や数値である。図８（Ｂ）に示す例では、環境情報は、「変化なし」、「風速変化」という文字列や、「照度５０ｌｘ」、「照度１０００ｌｘ」という、数値を含む文字列である。
【００９１】
なお、特性情報と許否情報と環境情報とは、ともに、機器情報とＩＤとに対応付けられて記憶部１０１に記憶されている。従って、特性情報と許否情報と環境情報とが対応付けられて記憶部１０１に記憶されていると考えることもできる。また、機器情報とＩＤとは、電気機器４を特定する情報と考えることができるが、必ずしも記憶部１０１に記憶されている必要はない。この場合、例えば、特性情報や環境情報そのものが、電気機器４を特定する情報と考えることができる。
【００９２】
図８（Ｃ）に、取得部１０６により取得された特性情報を模式的に示す。特性情報は、図３（Ｃ）に示す波形パターンから取得される情報であり、電気機器４の電気的な特性を示す情報である。
【００９３】
図８（Ｄ）に、検出部１１１により取得された環境情報を模式的に示す。図８（Ｄ）には、環境情報が「照度５０ｌｘ」である例を示している。
【００９４】
ここで、取得された特性情報は、特定部１０７により、記憶されている特性情報と一致するか否かが比較される。例えば、消費電力の最大値の比と、消費電力の最小値の比と、がともに、所定の閾値の範囲（例えば、１０％以内。）である場合、特性情報が一致すると判別される。図８（Ｃ）に示す特性情報は、図８（Ａ）に示す２つの特性情報と一致している例である。この場合、特性情報だけでは、プラグメス１０３に接続されている電気機器４が特定されない。
【００９５】
そこで、特定部１０７により、取得された環境情報が、記憶されている環境情報と一致するか否かがさらに比較される。例えば、環境情報により表される照度の比が、所定の閾値の範囲（例えば、±１０％以内。）である場合、環境情報が一致すると判別される。図８（Ｄ）に示す環境情報は、図８（Ｂ）に示す環境情報のうち、「Ｄ社ヒーター」に対応付けられている環境情報と一致している例である。つまり、図８（Ｃ）に示す特性情報と、図８（Ｄ）に示す環境情報と、が取得された場合、機器情報として、「Ｄ社ヒーター」が特定される。このように、本実施形態においては、特性情報と環境情報との双方により、機器情報が特定される。
【００９６】
次に、図９に示すフローチャートを用いて、電力供給システム１３０が実行する電力供給制御処理について説明する。電力供給システム１３０は、電源が投入されると、図９に示す電力供給制御処理を実行する。なお、図３（Ｂ）に示す許否情報や、図８（Ａ）に示す特性情報や、図８（Ｂ）に示す環境情報は、電力供給制御処理が実行される前に、ユーザなどによりハードディスク装置１４に記憶されているものとする。
【００９７】
まず、ＣＰＵ１１は、通信装置１７を介して、タップ１３２内の通信装置１７に、リレーオン指示信号を送信する（ステップＳ３０１）。
【００９８】
一方、タップ１３２内の通信装置１７は、通信装置１７から、リレーオン指示信号を受信する（ステップＳ３０２）。
【００９９】
次に、タップ１３２内のＣＰＵ１１は、リレー１０４をオンする（ステップＳ３０３）。具体的には、タップ１３２内のＣＰＵ１１は、リレー１０４に、リレーオン指示信号を供給する。これにより、リレー１０４が導通状態となり、電気機器４に電力が供給される。
【０１００】
ステップＳ３０３の処理が完了すると、タップ１３２内のＣＰＵ１１は、波形パターンを測定する（ステップＳ３０４）。具体的には、タップ１３２内のＣＰＵ１１は、電気機器４に印加される電圧の値と、電気機器４に流れる電流の値と、を所定の周期でサンプリングして、電気機器４に供給されている電力の波形パターンを取得する。また、タップ１３２内のＣＰＵ１１は、電気機器４の周囲の環境を表す環境情報を検出部１１１から取得する。波形パターンを示す情報と環境情報とは、タップ１３２内のＲＡＭ１３などに記憶される。
【０１０１】
ステップＳ３０４の処理が完了すると、タップ１３２内のＣＰＵ１１は、ステップＳ３０４において取得された波形パターンと環境情報とを、タップ１３２内の通信装置１７を介して、通信装置１７に送信する（ステップＳ３０５）。
【０１０２】
一方、通信装置１７は、タップ１３２内の通信装置１７から、波形パターンと環境情報とを受信する（ステップＳ３０６）。
【０１０３】
ステップＳ３０６の処理が完了すると、ＣＰＵ１１は、ステップＳ３０６において受信された波形パターンを解析して、消費電力特性を取得する（ステップＳ３０７）。消費電力特性を示す特性情報は、ＲＡＭ１３などに記憶される。
【０１０４】
ステップＳ３０７の処理が完了すると、ＣＰＵ１１は、消費電力特性と環境情報とが一致する電気機器を検索する（ステップＳ３０８）。具体的には、まず、ＣＰＵ１１は、ハードディスク装置１４に記憶されている特性情報のうち、ステップＳ３０６において受信された消費電力特性と一致する消費電力特性を示す特性情報を検索する。さらに、ＣＰＵ１１は、ハードディスク装置１４に記憶されている環境情報のうち、ステップＳ３０６において受信された環境情報と一致する環境情報を検索する。そして、ＣＰＵ１１は、ハードディスク装置１４に記憶されている機器情報のうち、特性情報と環境情報との双方が一致する機器情報により示される電気機器４を特定する。
【０１０５】
ステップＳ３０８の処理が完了すると、ＣＰＵ１１は、ステップＳ３０８において、電気機器４が特定されたか否かを判別する（ステップＳ３０９）。ＣＰＵ１１は、電気機器４が特定されていないと判別すると（ステップＳ３０９：ＮＯ）、不明な電気機器４で盗電されていることを出力する（ステップＳ３１０）。具体的には、ＣＰＵ１１は、「不明な電気機器４で盗電されている」旨を示すメッセージ画面を出力部５に出力する。これにより、出力部５は、「不明な電気機器４で盗電されている」旨を、ユーザに提示する。
【０１０６】
一方、ＣＰＵ１１は、電気機器４が特定されたと判別すると（ステップＳ３０９：ＹＥＳ）、特定された電気機器４が許可された電気機器４か否かを判別する（ステップＳ３１１）。ＣＰＵ１１は、特定された電気機器４が許可された電気機器４であると判別すると（ステップＳ３１１：ＹＥＳ）、波形パターンと環境情報とを取得する処理（ステップＳ３０４）に処理を戻す。
【０１０７】
一方、ＣＰＵ１１は、電気機器４が許可された電気機器４ではないと判別すると（ステップＳ３１１：ＮＯ）、許可されていない電気機器４で盗電されていることを出力する（ステップＳ３１２）。具体的には、ＣＰＵ１１は、「許可されていない電気機器４で盗電されている」旨を示すメッセージ画面を出力部５に出力する。これにより、出力部５は、「許可されていない電気機器４で盗電されている」旨を、ユーザに提示する。
【０１０８】
ＣＰＵ１１は、ステップ３１０の処理、もしくは、ステップＳ３１２の処理を完了すると、通信装置１７を介して、タップ１３２内の通信装置１７に、リレーオフ指示信号を送信する（ステップＳ３１３）。
【０１０９】
一方、タップ１３２内の通信装置１７は、通信装置１７から、リレーオフ指示信号を受信する（ステップＳ３１４）。
【０１１０】
次に、タップ１３２内のＣＰＵ１１は、リレー１０４をオフする（ステップＳ３１５）。具体的には、タップ１３２内のＣＰＵ１１は、リレー１０４に、リレーオフ指示信号を供給する。これにより、リレー１０４が非導通状態となり、電気機器４への電力の供給が遮断される。
【０１１１】
ＣＰＵ１１は、ステップＳ３１５の処理を終了すると、電力供給制御処理を終了する。なお、ユーザにより、電力供給システム１００が再起動されると、ＣＰＵ１１は、図９に示す電力供給制御処理を再度実行する。
【０１１２】
本実施形態に係る電力供給システム１３０によれば、許可されていない電気機器４、もしくは、登録されていない電気機器４が接続されていると判別されると、電気機器４への電力の供給が自動で遮断される。これにより、許可されていない電気機器４、もしくは、登録されていない電気機器４による盗電を防止することができる。なお、タップ１３２は、サーバ１３１と比較すると、小型で安価なものとすることできる。従って、例えば、屋内にタップ１３２を設置し、屋外にサーバ１３１を設置することにより、屋内空間を圧迫しない運用が可能となる。さらに、本実施形態においては、特性情報と環境情報とにより、電気機器４が特定される。このため、特性情報だけでは、電気機器４が特定されない場合でも、環境情報により電気機器４が特定される。
【０１１３】
本発明に係る電力供給システムは、第１〜３の実施形態において説明した構成に限られない。例えば、特性情報は、図１０に示すように、波形パターンそのものであってもよい。この場合、例えば、サンプリングされた、電圧値、電流値、電力値を表す数値群や関数などが、機器情報に対応付けられてハードディスク装置１４に記憶される。そして、ハードディスク装置１４に記憶されている数値群や関数と、測定部１０５により取得された数値群や関数と、が比較される。
【０１１４】
第１〜３の実施形態においては、特性情報、許否情報、環境情報、などが、同一の記憶装置に記憶されている例を示した。これらの情報は、別々の記憶装置に記憶されていてもよい。
【０１１５】
第１〜３の実施形態においては、電力を供給することを許可する許否情報に対応付けられて記憶装置に記憶されている機器情報により示される電気機器のみが電力を供給されることが許可される例を示した。しかし、電力の供給を許可する電気機器は、どのように設定されていてもよい。例えば、記憶装置に記憶されている機器情報により示される全ての電気機器に電力を供給されることが許可されてもよい。この場合、ユーザは、電力の供給を許可する電気機器に関する情報のみを記憶装置に登録する。なお、この場合、記憶装置に、許否情報を記憶させなくてもよい。また、記憶装置に記憶されている機器情報により示される電気機器以外の全ての電気機器に電力を供給されることが許可されてもよい。この場合、ユーザは、電力の供給を許可しない電気機器に関する情報のみを記憶装置に登録する。なお、この場合、記憶装置に、許否情報を記憶させなくてもよい。
【０１１６】
第１〜３の実施形態においては、特性情報や環境情報に示される数値の比が、所定の閾値の範囲内である場合に、特性情報や環境情報が一致すると判定される例を示した。しかし、特性情報や環境情報に示される数値の差が、所定の閾値以内である場合に、特性情報や環境情報が一致すると判定されてもよい。
【０１１７】
第１〜３の実施形態においては、電気機器が１つである例を示した。しかし、本発明は、電気機器が複数個ある場合にも適用することができる。この場合、例えば、電気機器毎に、プラグオス、プラグメス、測定部、リレーなどが設けられ、電気機器毎に上述した電力供給制御処理が実行される。かかる構成によれば、電気機器毎、つまり、プラグ毎に、電力を供給したり、電力を遮断したりすることができる。
【０１１８】
なお、本発明に係る電力供給システムは、専用のシステムによらず、通常のコンピュータシステムを用いても実現可能である。例えば、コンピュータに、上記動作を実行するためのプログラムを、フレキシブルディスク、ＣＤ−ＲＯＭ（Ｃｏｍｐａｃｔ  Ｄｉｓｋ  Ｒｅａｄ−Ｏｎｌｙ  Ｍｅｍｏｒｙ）、ＤＶＤ（Ｄｉｇｉｔａｌ  Ｖｅｒｓａｔｉｌｅ  Ｄｉｓｋ）、ＭＯ（Ｍａｇｎｅｔｏ  Ｏｐｔｉｃａｌ  Ｄｉｓｋ）などのコンピュータ読み取り可能な記録媒体に記憶して配布し、これをコンピュータシステムにインストールすることにより、上述の処理を実行する電力供給システムを構成しても良い。
【０１１９】
さらに、インターネット上のサーバ装置が有するディスク装置等にプログラムを記憶しておき、例えば、搬送波に重畳させて、コンピュータにダウンロード等するものとしてもよい。
【０１２０】
上記の実施形態の一部又は全部は、以下の付記のようにも記載されうるが、以下には限られない。
【０１２１】
（付記１）  商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶する記憶手段と、
コンセントを通じて前記商用電源から前記電力の供給を受けるプラグオスと、
接続された電気機器に対して前記電力を供給するプラグメスと、
制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断するリレーと、
前記接続された電気機器に前記電力が供給されているときに、当該接続された電気機器の消費電力の波形パターンを測定する測定手段と、
前記測定された波形パターンを解析して、前記接続された電気機器の消費電力特性を取得する取得手段と、
前記記憶されている機器情報のうち、前記取得された消費電力特性と一致する消費電力特性を示す特性情報に対応付けられている機器情報を特定する特定手段と、
前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御手段と、を備える、
ことを特徴とする電力供給システム。
【０１２２】
（付記２）  前記消費電力特性は、前記接続された電気機器の消費電力の、最大値、最小値、平均値、および、力率、のうちのいずれかである、
ことを特徴とする付記１に記載の電力供給システム。
【０１２３】
（付記３）  前記電力供給システムは、
前記記憶手段と前記取得手段と前記制御手段とを備えるサーバと、前記プラグオスと前記プラグメスと前記リレーと前記測定手段とを備えるタップと、に分割されており、
前記サーバは、前記タップと相互に通信するサーバ内通信手段を備え、
前記タップは、前記サーバと相互に通信するタップ内通信手段を備える、
ことを特徴とする付記１または２に記載の電力供給システム。
【０１２４】
（付記４）  周囲の環境を示す環境情報を検出する検出手段をさらに備え、
前記記憶手段は、前記複数の電気機器のそれぞれについて、前記機器情報と前記特性情報と前記許否情報と当該電気機器の稼働時の当該電気機器の周囲の環境として想定される環境を示す環境情報とを対応付けて記憶し、
前記特定手段は、前記記憶されている機器情報のうち、前記取得された消費電力特性と一致する消費電力特性を示す特性情報に対応付けられている機器情報であって、前記検出された環境情報と一致する環境情報と対応付けられている機器情報を特定する、
ことを特徴とする付記１乃至３のいずれかに記載の電力供給システム。
【０１２５】
（付記５）  記憶手段と、プラグオスと、プラグメスと、リレーと、測定手段と、取得手段と、特定手段と、制御手段と、を備える電力供給システムにより実行される電力供給方法であって、
前記記憶手段は、商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶し、
前記プラグオスは、コンセントを通じて前記商用電源から前記電力の供給を受け、
前記プラグメスは、接続された電気機器に対して前記電力を供給し、
前記リレーは、制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断し、
前記測定手段は、前記接続された電気機器に前記電力が供給されているときに、当該接続された電気機器の消費電力の波形パターンを測定し、
前記取得手段が、前記測定された波形パターンを解析して、前記接続された電気機器の消費電力特性を取得する取得ステップと、
前記特定手段が、前記記憶されている機器情報のうち、前記取得された消費電力特性と一致する消費電力特性を示す特性情報に対応付けられている機器情報を特定する特定ステップと、
前記制御手段が、前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御ステップと、を備える、
ことを特徴とする電力供給方法。
【０１２６】
（付記６）  記憶手段と、プラグオスと、プラグメスと、リレーと、測定手段と、を備えるコンピュータを電力供給システムとして機能させるためのプログラムであって、
前記記憶手段は、商用電源から供給される電力で動作する複数の電気機器のそれぞれについて、当該電気機器を示す機器情報と当該電気機器の消費電力特性を示す特性情報と当該電気機器に電力を供給することの許否を示す許否情報とを対応付けて記憶し、
前記プラグオスは、コンセントを通じて前記商用電源から前記電力の供給を受け、
前記プラグメスは、接続された電気機器に対して前記電力を供給し、
前記リレーは、制御信号に従って、前記プラグオスと前記プラグメスとを接続して前記プラグメスに接続された電気機器に前記電力を供給、もしくは、前記プラグオスと前記プラグメスとを非接続として当該接続された電気機器に対する当該電力の供給を遮断し、
前記測定手段は、前記接続された電気機器に前記電力が供給されているときに、当該接続された電気機器の消費電力の波形パターンを測定し、
前記プログラムは、前記コンピュータを、
前記測定された波形パターンを解析して、前記接続された電気機器の消費電力特性を取得する取得手段、
前記記憶されている機器情報のうち、前記取得された消費電力特性と一致する消費電力特性を示す特性情報に対応付けられている機器情報を特定する特定手段、
前記特定された機器情報に対応付けられて前記記憶手段に記憶されている許否情報により電力の供給を許可しないことが示されている場合、前記接続された電気機器に対する前記電力の供給を遮断することを指示する制御信号を前記リレーに供給する制御手段、として機能させる、
ことを特徴とするプログラム。
【産業上の利用可能性】
【０１２７】
本発明は、あらかじめ定められた適切な電気機器のみに電力を供給する電力供給システムなどに適用することができる。
【符号の説明】
【０１２８】
２  商用電源
３  コンセント
４  電気機器
５  出力部
１１  ＣＰＵ
１２  ＲＯＭ
１３  ＲＡＭ
１４  ハードディスク装置
１５  入力装置
１６  表示制御装置
１７  通信装置
１００、１２０、１３０  電力供給システム
１０１  記憶部
１０２  プラグオス
１０３  プラグメス
１０４  リレー
１０５  測定部
１０６  取得部
１０７  特定部
１０８  制御部
１０９  サーバ内通信部
１１０  タップ内通信部
１１１  検出部
１２１、１３１  サーバ
１２２、１３２  タップ
２００  電力供給制御装置
【図１】
2011176985.tif 000003
【図２】
2011176985.tif 000004
【図３】
2011176985.tif 000005
【図４】
2011176985.tif 000006
【図５】
2011176985.tif 000007
【図６】
2011176985.tif 000008
【図７】
2011176985.tif 000009
【図８】
2011176985.tif 000010
【図９】
2011176985.tif 000011
【図１０】
2011176985.tif 000012